(57)【要約】【課題】植物の根部を植物栽培容器内で下方へ成長させることが可能な植物栽培容器を提供する。【解決手段】収容空間（３０）を有する容器（３）を備えた植物栽培容器において、前記容器（３）の内壁面には、上縁側から下方側へ一定距離をずらして設けられた水平方向根案内部（３１）と、少なくとも一本以上の鉛直方向根案内部（３２，３２ａ）と、が形成されており、前記鉛直方向根案内部（３２，３２ａ）が前記水平方向根案内部（３１）と連結する構成としたことを特徴とする植物栽培容器。【選択図】図３
0003132174.tif 000002
【実用新案登録請求の範囲】
【請求項１】
収容空間（３０）を有する容器（３）を備えた植物栽培容器において、
前記容器（３）の内壁面には、上縁側から下方側へ一定距離をずらして設けられた水平方向根案内部（３１）と、少なくとも一本以上の鉛直方向根案内部（３２，３２ａ）と、が形成されており、
前記鉛直方向根案内部（３２，３２ａ）が前記水平方向根案内部（３１）と連結する構成としたこと
を特徴とする植物栽培容器。
【請求項２】
前記鉛直方向根案内部（３２，３２ａ）と前記水平方向根案内部（３１）とは、斜線状案内部（３３）、又は円弧状案内部（３３ａ）によって連結される構成としたことを特徴とする請求項１に記載の植物栽培容器。
【請求項３】
水平方向根案内部（３１）は、容器（３，３ａ）の内壁面の下縁部に設けられ、容器（３，３ａ）の内壁面に沿った環状を呈する根案内部（３４，３４ａ）、複数の円弧が互いに離間しながら水平方向に並んだ根案内部（３５，３５ａ）、又は、２以上の円弧が連結した形状からなる根案内部（３６，３６ａ）、として構成されたことを特徴とする請求項１又は請求項２に記載の植物栽培容器。
【考案の詳細な説明】
【技術分野】
【０００１】
本考案は、植物栽培容器に関するものである。
【背景技術】
【０００２】
従来の植物栽培容器としては、例えば、図１に示すようなものが提案されている。ここで、図１は、従来の植物栽培容器の斜視図である。図１に示すように、従来の植物栽培容器１は、収容空間１０を有し、容器１の内壁面の上縁から下へ一定距離にずれて水平方向根案内部１１が一本以上設けてあり、且つ前記容器１の内壁面には複数本の鉛直方向根案内部１２が設けてあり、前記鉛直方向根案内部１２は前記水平方向根案内部１１と連結していない。
【０００３】
しかしながら、図２に示すように、従来の植物栽培容器１により植物２を栽培すると、次のような問題があった。植物２の根部２０は鉛直方向根案内部１２に沿って下方へ一旦は成長することはできるが、前記鉛直方向根案内部１２は前記水平方向根案内部１１と連結していないので、植物栽培容器１の内壁に達するまで植物２の根部２０が成長してくると、植物栽培容器１の内壁面に設けられたいずれか一本以上の水平方向根案内部１１に接触した植物２の根部２０は、水平方向根案内部１１に沿って成長を続け、図２に示すように、植物２の根部２０は、植物栽培容器１の上縁部をぐるぐる回るように伸びていく。
【０００４】
植物２の根部２０が、一本以上の水平方向根案内部１１に達した場合には、前記根部２０が水平方向根案内部１１に沿ったままいつまでも成長することはできないので、次第に植物栽培容器１の内部側へ向かって成長するようになる。その場合、植物２の根部２０が収容空間１０の外部に露出してしまうので、根部２０から栄養分を効果的に吸収することができなくなり、植物２は良好な成長ができなくなってしまう。
【０００５】
また、植物２の根部２０が成長を続けて、植物栽培容器１の収容空間１０の上縁まで至って外部に露出するようになると、植物２の根部２０が植物栽培容器１の上縁から外部に垂れ下がるようになり、植物２を安定させることができなくなってしまうという問題がある。
【考案の開示】
【考案が解決しようとする課題】
【０００６】
本考案は、上記の問題に鑑みてなされたものであり、植物の根部を植物栽培容器内で下方へ成長させることが可能な植物栽培容器を提供することにある。
【課題を解決するための手段】
【０００７】
上記目的を達成するためになされた本願の考案は、収容空間を有する容器を備えた植物栽培容器において、前記容器の内壁面には、上縁側から下方側へ一定距離をずらして設けられた水平方向根案内部と、少なくとも一本以上の鉛直方向根案内部と、が形成されており、前記鉛直方向根案内部が前記水平方向根案内部と連結する構成としたことを特徴とする植物栽培容器であることを要旨としている。
【０００８】
本願の考案では、前記鉛直方向根案内部と前記水平方向根案内部とは、斜線状案内部、又は円弧状案内部によって連結される構成としたことを特徴とする請求項１に記載の植物栽培容器であることを要旨としている。
【０００９】
本願の考案では、水平方向根案内部は、容器の内壁面の下縁部に設けられ、容器の内壁面に沿った環状を呈する根案内部、複数の円弧が互いに離間しながら水平方向に並んだ根案内部、又は、２以上の円弧が連結した形状からなる根案内部、として構成されたことを特徴とする請求項１又は請求項２に記載の植物栽培容器であることを要旨としている。
【考案の効果】
【００１０】
本考案の植物栽培容器によれば、次のような効果がある。
（イ）容器の内壁面に設けられた、水平方向根案内部と、鉛直方向根案内部と、が互いに連結することにより、成長している植物の根部は水平方向根案内部と鉛直方向根案内部とに沿って下方へ成長させることができる。
【００１１】
（ロ）容器の内壁面に設けられた、水平方向根案内部と、鉛直方向根案内部と、が互いに連結していることにより、成長している植物の根部は水平方向根案内部と鉛直方向根案内部とに沿って容器内で成長させることができ、根部が植物栽培容器の上縁から外部に垂れ下がることがなくなり、植物２を安定させることができる。
【考案を実施するための最良の形態】
【００１２】
以下、添付図面を参照して本考案の好適な実施の形態を詳細に説明する。
【００１３】
まず、図３を参照する。図３は、本考案の植物栽培容器の斜視図である。本考案の植物栽培容器３は、収容空間３０を有する容器３であり、前記容器３の内壁面には、上縁側から下方側へ一定距離をずらして設けられた水平方向根案内部３１と、少なくとも一本以上の鉛直方向根案内部３２，３２ａと、が形成されており、前記鉛直方向根案内部３２，３２ａが前記水平方向根案内部３１と連結している。ここで、水平方向根案内部３１及び鉛直方向根案内部３２，３２ａは、容器３の側面から内側に向って突出した凸条で構成するのが好適である。
【００１４】
また、前記鉛直方向根案内部３２，３２ａと前記水平方向根案内部３１とは、図３に示すような斜線状案内部３３で連結される構成としてもよいし、図９に示すような円弧線案内部３３ａで連結される構成としてもよく、曲線状、波状、その他の幾何形状による案内部で連結してもよい。
【００１５】
また、水平方向根案内部３１は容器３，３ａの内壁面の下縁部に設けてもよい。前記横方向根案内部３１を容器３，３ａの内壁面の下縁部に設ける場合には、図６及び図１０に示すように、容器３，３ａの内壁面に沿った環状を呈する根案内部（３４，３４ａ）として構成する。または、図７及び図１１に示すように、複数の円弧が互いに離間しながら水平方向に並んだ根案内部（３５，３５ａ）として構成してもよい。さらには、図８及び図１２に示すように、２以上の円弧が連結した形状からなる根案内部（３６，３６ａ）として構成するほか、流線形状や幾何形状の根案内部として構成してもよい。
【００１６】
本考案による植物栽培容器３は、上記のように構成されたことにより、次のような作用を奏する。図４及び図５に示すように、植物栽培容器３の内壁面には水平方向根案内部３１と鉛直方向根案内部３２とが設けてあり、しかもこれらが連結していることによって、植物栽培容器３の内部の植物２の根部２０を、水平方向根案内部３１と鉛直方向根案内部３２に沿って下方へ成長させることができる。すなわち、植物栽培容器３により植物２を栽培する場合には、植物２の根部２０は、鉛直方向根案内部３２に沿って下へ成長して、鉛直方向根案内部３２と連結する水平方向根案内部３１に沿って成長し、植物２の根部２０は、前記のように案内されて下へ成長し収容空間３０内に分散するようになり、これにより、植物２の根部２０が下りて植物２を安定させることができる。
【００１７】
また、植物２の根部２０が成長を続けて、植物栽培容器３の収容空間３０内を巡って収容空間３０を満たしていくと、植物栽培容器３の内壁面に設けられた鉛直方向根案内部３２に沿って上方へ成長し、さらに水平方向根案内部３１にまで達すると、水平方向根案内部３１に沿って別の連結している鉛直方向根案内部３２に沿って下へ伸びていくようになる。
【００１８】
また、植物２の根部２０が成長して、水平方向根案内部３１と連結する鉛直方向根案内部３２ａにまで達すると、根部２０が鉛直方向根案内部３２ａに沿って植物栽培容器３の収容空間３０の底部へ向って伸びていくようになる。
【００１９】
水平方向根案内部３１と鉛直方向根案内部３２との案内により、植物２の根部２０は、下方向へ成長させることができるようになり、植物２を安定させる目的を達成することができる。
【００２０】
また、水平方向根案内部３１と鉛直方向根案内部３２との案内により、植物２の根部２０は、植物栽培容器３の収容空間３０内で成長させることができるため、根部２０が外部に露出しなくなり、植物２は栄養分を効果的に吸収することができ、植物２の成長が良好なものとなる。
【図面の簡単な説明】
【００２１】
【図１】従来の植物栽培容器の斜視図である。
【図２】従来の植物栽培容器により植物を栽培している状態を示す概略図である。
【図３】本考案の植物栽培容器の斜視図である。
【図４】本考案の植物栽培容器により植物を栽培している状態を示す概略図である。
【図５】本考案の植物栽培容器により植物を栽培している状態を示す斜視図である。
【図６】本考案の実施例１の変形例１である。
【図７】本考案の実施例１の変形例２である。
【図８】本考案の実施例１の変形例３である。
【図９】本考案の実施例２の斜視図である。
【図１０】本考案の実施例２の変形例１である。
【図１１】本考案の実施例２の変形例２である。
【図１２】本考案の実施例２の変形例３である。
【符号の説明】
【００２２】
１        植物栽培容器
２        植物
３，３ａ  容器
１０      収容空間
１１      水平方向根案内部
１２      鉛直方向根案内部
２０      根部
３０      収容空間
３１      水平方向根案内部
３２，３２ａ    鉛直方向根案内部
３３      斜線状案内部
３３ａ    円弧状案内部
３４，３４ａ    根案内部
３５，３５ａ    根案内部
３６，３６ａ    根案内部
【図１】
0003132174.tif 000003
【図２】
0003132174.tif 000004
【図３】
0003132174.tif 000005
【図４】
0003132174.tif 000006
【図５】
0003132174.tif 000007
【図６】
0003132174.tif 000008
【図７】
0003132174.tif 000009
【図８】
0003132174.tif 000010
【図９】
0003132174.tif 000011
【図１０】
0003132174.tif 000012
【図１１】
0003132174.tif 000013
【図１２】
0003132174.tif 000014